(57)【要約】【課題】標線と気泡の位置関係から水平を検出する単一透明容器気泡管の気泡は僅かな移動量な為、目視による読み取り誤差を生じやすい。【解決手段】筒状透明容器内部を透明仕切り板で二室に仕切り、仕切られた各室内面上部が上方に弧状で凸に湾曲し、前記各室内面上部の上方に弧状で凸成る湾曲面（曲面）が互いに異なる湾曲率（曲率）から成り、前記各室内部の各々に気泡を存在させるように液体を満たして密閉した、二室透明容器から成ることを特徴とする二室透明容器気泡管によってこの課題を解決する。【選択図】図１
2008008877.tif 000002
【特許請求の範囲】
【請求項１】
側面が横の筒状透明容器内部を横方向の仕切り板で二室に仕切り、仕切られた各室内面上部横方向が上方に弧状で凸に湾曲し、前記各室内面上部横方向の上方に弧状で凸成る湾曲面（曲面）が互いに異なる湾曲率（曲率）から成り、前記各室内部の各々に気泡を存在させるように液体を満たして密閉した、二室透明容器から成ることを特徴とする横形二室透明容器気泡管。
【請求項２】
側面が縦の上面が透明な筒状容器内部を横方向の透明仕切り板で上下二室に仕切り、仕切られた各室天井面が天井面の中心に向かって上方に弧状で凸に湾曲し、前記各室天井面の中心に向かって上方に弧状で凸成る湾曲面（曲面）が互いに異なる湾曲率（曲率）から成り、前記各室内部の各々に気泡を存在させるように液体を満たして密閉した、二室透明容器から成ることを特徴とする縦形二室透明容器気泡管。
【請求項３】
請求項１と請求項２の各々において二室に仕切られた何れか一方の一室が請求項１は内面上部横方向湾曲率（曲率）がゼロ（曲率半径無限大）の湾曲面（曲面）、請求項２は天井面中心方向湾曲率（曲率）がゼロ（曲率半径無限大）の平面から成ることを特徴とする二室透明容器気泡管。
【発明の詳細な説明】
【技術分野】
【０００１】  本発明は気泡管に関するものであり、気泡管の形状に工夫を加える事によって水平検出時の目視誤差を減少したものである。
【背景技術】
【０００２】  上部面が横方向又は中心方向に弧状で凸に湾曲した湾曲面（曲面）を有する筒状透明容器に気泡を存在させる様に液体を満たし、前記筒状透明容器に印した標線と気泡の位置関係から水平を検出する単一透明容器気泡管が知られている。
【発明の開示】
【発明が解決しようとする課題】
【０００３】  従来の単一透明容器気泡管は僅かな水平移動量の気泡の位置変化によって水平を検出する為、目視による読み取り誤差を生じやすい。
本発明は単一透明容器気泡管と比較して相対的に湾曲率（曲率）半径がより大きく、湾曲率（曲率）のより小さい湾曲面（曲面）に因って、より大きく同一方向に水平移動する気泡から成る気泡管を単一透明容器気泡管内に仕切り板で仕切って新規に設けて、単一透明容器気泡管の僅かな気泡の水平移動量とより大きい移動量の気泡とを相対して、目視による目測誤差の減少を課題とする。
水平検出時、各々の気泡中心は同一鉛直線上あるいは鉛直面上に存在するので従来の単一透明容器気泡管に印された標線は不要となる。
【課題を解決するための手段】
【０００４】  この課題を解決するために請求項１に係わる発明の気泡管は、側面が横の筒状透明容器内部を横方向の仕切り板で二室に仕切り、仕切られた各室内面上部横方向が上方に弧状で凸に湾曲し、前記各室内面上部横方向の上方に弧状で凸成る湾曲面（曲面）が互いに異なる湾曲率（曲率）から成り、前記各室内部の各々に気泡を存在させるように液体を満たして密閉した、二室透明容器から成ることを特徴とする。【０００５】  請求項２に係わる発明の気泡管は、側面が縦の上面が透明な筒状容器内部を横方向の透明仕切り板で上下二室に仕切り、仕切られた各室天井面が天井面の中心に向かって上方に弧状で凸に湾曲し、前記各室天井面の中心に向かって上方に弧状で凸成る湾曲面（曲面）が互いに異なる湾曲率（曲率）から成り、前記各室内部の各々に気泡を存在させるように液体を満たして密閉した、二室透明容器から成ることを特徴とする。【０００６】  請求項３に係わる発明の気泡管は請求項１と請求項２の各々において、二室に仕切られた何れか一方の一室が請求項１ついては内面上部横方向湾曲率（曲率）がゼロ（曲率半径無限大）の湾曲面（曲面）から成り、請求項２は天井面中心方向湾曲率（曲率）がゼロ（曲率半径無限大）の平面から成ることを特徴とする。
【発明の効果】
【０００７】  本発明によって水平検出時の僅かな水平移動量の気泡が仕切り板を挟んで相対する、より大きく同一水平方向に移動量が拡大した気泡によって、目視による読み取り誤差を減少する。
【発明を実施するための最良の形態】
【０００８】  図１のＡ室透明容器とＢ室透明容器は内面上部横方向が上方に弧状で凸に湾曲した長さ４０ｍｍ位の略円筒形ガラスあるいは樹脂製で、Ａ室透明容器は１４ｍｍ位の直径、Ｂ室透明容器は８ｍｍ位の直径でＡ室透明容器の内面上部横方向の湾曲率（曲率）半径は１ｍ、Ｂ室透明容器の内面上部横方向の湾曲率（曲率）半径は２０ｍとする。
Ｂ室透明容器をＡ室透明容器の内部に挿入し各室透明容器の横方向中心軸が平行になる様にして各室透明容器下部面で固着して固定し、各室透明容器に長円径１０ｍｍ位の気泡が残存するようアルコール等の液体を封入して密閉し本発明請求項１の横形二室透明容器気泡管とする。【０００９】  図４のＣ室透明容器とＤ室透明容器は天井面が天井面の中心方向に弧状で上方に凸に湾曲した直径２０ｍｍ位で高さが１０ｍｍ位の略円筒形ガラスあるいは樹脂製で、Ｃ室透明容器の天井面湾曲率（曲率）半径は１ｍ、Ｄ室透明容器の天井面湾曲率（曲率）半径は２０ｍとする。
Ｃ室透明容器をＤ室透明容器の上にして各室透明容器縦方向中心軸が一致する様に各々の側端上下で固着して固定し、各室透明容器に直径１０ｍｍ位の気泡が残存するようアルコール等の液体を封入して密閉し本発明請求項２の縦形二室透明容器気泡管とする。【００１０】  本発明請求項３の二室透明容器気泡管は図１のＢ室透明容器内面上部横方向湾曲率（曲率）がゼロ（曲率半径無限大）の湾曲面（曲面）、図４のＤ室透明容器内部天井面湾曲率（曲率）がゼロ（曲率半径無限大）の平面から成る。【００１１】  気泡管の傾き角度変化が微小な場合は数１の式が成り立つので
【数１】
2008008877.tif 000003
【００１２】  により二室透明容器気泡管を水平位置より０．０２度傾斜した場合、Ａ室透明容器とＣ室透明容器の気泡の水平移動量は数２で求められる。
【数２】
2008008877.tif 000004
によりＡ室透明容器とＣ室透明容器の気泡は鉛直位置から水平方向に０．３４９ｍｍ移動する。【００１３】  同様にＢ室透明容器とＤ室透明容器の気泡の水平移動量は数３で計算できる。
【数３】
2008008877.tif 000005
によりＢ室透明容器とＤ室透明容器の気泡はＡ室透明容器、Ｃ室透明容器の気泡と同一水平方向に鉛直位置から６．９８ｍｍ移動する。【００１４】  Ｂ室透明容器上部横方向とＤ室透明容器天井面湾曲率（曲率）がゼロの場合、水平検出時各々の気泡が左右あるいは前後左右大きな移動量で不安定となり、目視による確認がし易くなる。
又、上記二室透明容器気泡管を収める水準器に狂いが生じた場合、湾曲率（曲率）ゼロから成る気泡管の移動量の大きい気泡が目視し易い事によって正確な修正を可能にする。
以上のことから気泡は湾曲率（曲率）半径に比例した移動量となって拡大表示され目測し易くなり読み取り誤差を減少する。【００１５】  水平検出時は各々の気泡が同一鉛直線上となり気泡の中心が上下に一致し、従来の単一透明容器気泡管に印された標線は不要となるが、傾斜度の目安として敢えて標線を印す場合は各々の気泡が同一鉛直線上となり気泡の中心が上下に一致した状態で、請求項１はＡ室透明容器側周上に気泡長円径くらいの間隔で側周円を印し、請求項２はＣ室透明容器天井面に気泡直径くらいの円を印す。
【産業上の利用可能性】
【００１６】  本発明に係わる二室透明容器気泡管は従来の気泡管を組み合わせて構成することによって量産ができ、産業上の利用可能性を有する。
【図面の簡単な説明】
【００１７】
【図１】本実施例に係わる横形の二室透明容器気泡管説明図である。
【図２】本実施例に係わる横形の二室透明容器気泡管断面説明図である。
【図３】従来の単一透明容器気泡管説明図である。
【図４】本実施例に係わる縦形の二室透明容器気泡管説明図である。
【図５】本実施例に係わる縦形の二室透明容器気泡管断面説明図である。
【符号の説明】
【００１８】  １  Ａ室透明容器
２  Ｂ室透明容器
３  Ｃ室透明容器
４  Ｄ室透明容器
５  単一透明容器気泡管
６  気泡
７  仕切り板
８  アルコール等の液体
９  標線
【図１】
2008008877.tif 000006
【図２】
2008008877.tif 000007
【図３】
2008008877.tif 000008
【図４】
2008008877.tif 000009
【図５】
2008008877.tif 000010